(57)【特許請求の範囲】
【請求項１】
商品が入れられる際、販売店舗で使用される買物かご内に全開状態で装着される買物用バッグであって、
前記買物かごの内面に沿わせて装着しうる形状に形成されたバッグ本体の少なくとも相対向する１組の側面にそれぞれ切り込み部がバッグ本体の上端開口部から底部に向けて形成され、これら各切り込み部の背後に、該各切り込み部によってバッグ本体の少なくとも相対向する１組の側面に形成される開口を閉塞する襠部材が設けられるとともに、該各切り込み部の解放端縁に該各切り込み部を開閉するファスナーが設けられ、
上記襠部材の上端縁には、弾性のある素材が設けられることにより伸縮性が付与され、
バッグ本体の上端開口部には、この開口部から連続してカバー部が設けられ、
上記カバー部は、買物かご装着時に買物かごの周壁上端縁から外側に折り返されるとともに、その先端縁に紐通し部が配設され、この紐通し部に装着された開閉用紐を絞ることによってバッグ本体の上端開口部を覆うことを特徴とする買物用バッグ。
【請求項２】
バッグ本体にベルトと、このベルトの先端が係止される係止部とが設けられたことを特徴とする請求項１に記載の買物用バッグ。
【請求項３】
提げ手が設けられたことを特徴とする請求項１又は２に記載の買物用バッグ。
【発明の詳細な説明】
【０００１】
【産業上の利用分野】
本発明は、買物用バッグに関するものであり、商品が入れられる際、販売店舗で使用される買物かご内に装着される買物用バッグに関する。
【０００２】
【従来の技術】
スーパーマーケット等のショッピングセンターで買い物をする際には、顧客は、まず、店内に備えつけられた買物かごに購入したい商品を入れ、それをレジスターのある支払いカウンターに持って行く。支払いカウンターでは、レジ係がこの買物かごの中の商品をバーコードリーダを用いて代金を順次読み込ませながら別の買物かごに移しかえ、すべての商品を移しかえた後に持ち帰り用の袋をその買物かごに入れ、顧客に対して合計された代金を請求する。この代金を支払い終えた顧客は、移し替えられた買物かごを別のカウンターまで運んで、この買物かごから商品を取り出して持ち帰り用の袋に詰め、この袋を持ち帰るのが一般的である。
【０００３】
【発明が解決しようとする課題】
しかしながら、上記した方法では、顧客が購入するため買物かごに入れた商品をレジでの精算時にレジ係が別の買物かごに移しかえ、それをさらに顧客が持ち帰り用の袋に移しかえるという再度にわたる移しかえ作業が必要とされ、面倒なものであった。
【０００４】
また、顧客は、持ち帰った後に持ち帰り用の袋から中の商品を取り出してその後その袋は廃棄するのが通常であり、これが大量に廃棄されることとなると、ごみが増量し環境破壊にも発展する。このため昨今、スーパーマーケットでは、持ち帰り用の袋を顧客に持参するように呼びかけている。
【０００５】
本発明は上記のような事情に鑑み創作されたものであって、代金精算時にレジ係が、顧客が持参した買物用バッグに商品を直接移しかえて、顧客が移しかえ先の買物かごから持ち帰り用の袋へ商品を移しかえる手間を省き、かつ使い勝手の良い買物用バッグの提供を目的とする。
【０００８】
【課題を解決するための手段】
上記の目的を達成するため、本発明は、商品が入れられる際、販売店舗で使用される買物かご内に全開状態で装着される買物用バッグであって、前記買物かごの内面に沿わせて装着しうる形状に形成されたバッグ本体の少なくとも相対向する１組の側面にそれぞれ切り込み部がバッグ本体の上端開口部から底部に向けて形成され、これら各切り込み部の背後に、該各切り込み部によってバッグ本体の少なくとも相対向する１組の側面に形成される開口を閉塞する襠部材が設けられるとともに、該各切り込み部の解放端縁に該各切り込み部を開閉するファスナーが設けられ、上記襠部材の上端縁には、弾性のある素材が設けられることにより伸縮性が付与され、バッグ本体の上端開口部には、この開口部から連続してカバー部が設けられ、上記カバー部は、買物かご装着時に買物かごの周壁上端縁から外側に折り返されるとともに、その先端縁に紐通し部が配設され、この紐通し部に装着された開閉用紐を絞ることによってバッグ本体の上端開口部を覆うことを特徴とする。
【０００９】
この発明によれば、ファスナーを開いて該買物用バッグを買物かごの内面に沿わせて装着することができるとともに、カバー部を買物かごの周壁上端縁から外側に折り返すことができ、カバー部によってバッグ本体の上端開口部を覆うことができる。また、襠部材によって切り込み部を閉塞することができる。また、襠部材の上端縁には、弾性のある素材が設けられることにより伸縮性が付与されているので、この襠部材の上端縁を伸ばして、バッグ本体を買物かごに装着することができるので、装着するのが容易になる。また、装着した後は、この襠部材の上端縁が縮むことにより、バッグ本体は買物かごにフィットしてずれることがない。
【００１０】
上記の構成において、バッグ本体にベルトと、このベルトの先端が係止される係止部とが設けられたことを特徴とする。
【００１１】
この発明によれば、ベルトの先端とバッグ本体の係止部とを係止してバッグ本体を所望位置で止め、買物用バッグの開口部が不測に開くことを防止することができる。
【００１２】
上記の構成において、提げ手が設けられたことを特徴とする。
【００１３】
この発明によれば、この提げ手を持って買物用バッグを持ち運ぶことができる。
【００３１】
【実施の形態】
以下、本発明の実施の形態について図を参照して説明する。図１は、本発明にかかる買物用バッグ１の使用状態を示す斜視図、図２は、本発明にかかる買物用バッグ１のファスナーを示す斜視図、図３は、本発明にかかる買物用バッグ１のファスナー及びカバー部を閉じた状態を示す斜視図である。
【００３２】
本発明に係る買物用バッグ１は、布又は合成樹脂製の柔軟性のある素材で形成され、上方が開口された袋状体からなるバッグ本体２と、カバー部５と提げ手１１とから主要部が構成される。以下、順次上記の各構成部分について説明する。
【００３３】
バッグ本体２は、買物かごＡの内面に沿わせて装着しうる形状に形成され、この内部に顧客が購入した商品を入れることができるものである。この買物かごＡは、スーパーマーケット等に一般に用意されている店内用の買物かごであって、長方形の底面から周壁が上方に向かって漸次拡開状に設けられ上縁に把手が起伏可能に取り付けられたものである。したがって、バッグ本体２は、買物かごＡの底面に略一致する底面２ｂから周壁が設けられており、周壁の高さは、買物かごＡ高さに略一致している。
【００３４】
バッグ本体２の短辺側の両側面２１，２２には、切り込み部６，６がそれぞれ形成されている。この切り込み部６、６は、バッグ本体２の側面２１，２２の上端から基端に向かって形成されたものである。この切り込み部６の長さは任意であって、上端から基端にわたって設けても良く、また、上端から所望の長さに設けても良い。なお、切り込み部６は、バッグ本体２の短辺側の両側面２１，２２に限らず、長辺側の両側面２３，２４に形成されていても良く、また、すべての側面２１，２２，２３，２４に形成されていても良い。
【００３５】
切り込み部６の背後には、切り込み部６によってバッグ本体１の両側面２１，２２に形成される開口を閉塞する襠部材７が形成されている。この襠部材７は、バッグ本体２と同様の素材で形成され、切り込み部６の両側端縁に取り付けられている。襠部材７の上端縁７ａには、ゴム等のような弾性のある素材が設けられ、伸縮性を有するように図られている。伸縮性があると、この襠部材７の上端縁７ａを伸ばして、バッグ本体２を買物かごＡに装着することができるので、装着するのが容易になる。また、装着した後は、この襠部材７の上端縁７ａが縮むことにより、バッグ本体２は買物かごＡにフィットしてずれることがない。
【００３６】
切り込み部６の両側端縁にはファスナー８が取り付けられ、切り込み部６を開閉することができるようになされている。
【００３７】
また、ファスナー８を閉じた場合は、襠部材７の両側端縁７ｂ，７ｃが互いに接することによって空間７０が形成される（図４参照）。この空間７０には、濡れた傘や、臭気のある商品、水滴の着き易い商品などを収納して、他の商品と隔離することができるので便利である。
【００３８】
カバー部５は、バッグ本体２に連続して設けられており、買物用バッグ１を買物かごＡ内に装着した際、買物かごＡの周壁上端縁から外側に折り返すことができるようになされている。このカバー部５は、折り返す際や開閉用紐５１で絞る際の便宜から、柔軟性を有する素材で構成されており、特にメッシュ素材が好適に用いられる。
【００３９】
ベルト４は、その先端に面ファスナー４ａが取り付けられた短寸の帯状体である。また、係止部３は、ベルト４の面ファスナー４ａと係合する面ファスナー３ａが取り付けられた短寸の帯状体であって、買物用バッグ１に購入した商品を入れて持ち運ぶ際にこれらの面ファスナー３ａ，４ａ同士を係合させてバッグ本体２の上端２a が不測に開くのを防止するように図られている。なお、ここでは、係止部３は、ベルト４の面ファスナー４ａと係合する面ファスナー３ａが、バッグ本体２のベルト４取り付け側に対向する側面２３の上端部の外面に取り付けられている。
【００４０】
提げ手１１は、本発明の買物用バッグ１を持ち運ぶ際の便宜のために設けられたものであって、帯状体で形成され、一対の提げ手１１、１１が、バッグ本体２の長辺側の各側面２３，２４にそれぞれ取り付けられている。
【００４１】
次に、本実施の形態にかかる買物用バッグ１の使用方法について説明する。
【００４２】
顧客は、スーパーマーケット等のショッピングセンターに買物に行く際、ファスナー８を閉じた買物用バッグ１を持参する。スーパーマーケット店内では、店内に備えられた買物かごに商品を入れ、その代金を精算するために支払いカウンターに買物かごを持って行く。支払いカウンターにおいて、レジ係に移しかえ用の買物かごＡに買物用バッグ１を装着するように依頼し、この移しかえ用の買物かごＡ内にファスナー８を開くとともに、カバー部５を折り返して買物用バッグ１を装着する。
【００４３】
レジ係は、バーコードリーダーを用いて順次商品の代金を読み込ませながら、買物かごから買物用バッグ１が装着された移しかえ用の買物かごＡに商品を移していく。
【００４４】
精算が終了し、代金を支払った顧客は、移しかえ用の買物かごＡに装着した買物用バッグ１を買物かごＡから外して、ファスナー８を閉じる。そして、開閉用紐５１を紐通し部５０の紐引出部５００から引き出してカバー部５の先端を絞り、開閉用紐５１同士を結束する。
【００４５】
次いで、ベルト４と係止部３とを係合してバッグ本体２の開口が不測に開かないようにする。
【００４６】
そして、提げ手１１をつかんで買物用バッグ１を持ち運ぶ。このようにして、顧客は、移しかえ用の買物かごＡからさらに移しかえることなく、買物用バッグ１をそのまま持って帰ることができる。
【００４８】
【発明の効果】
以上説明したように、本発明は、商品が入れられる際、販売店舗で使用される買物かご内に全開状態で装着される買物用バッグであって、前記買物かごの内面に沿わせて装着しうる形状に形成されたバッグ本体の少なくとも相対向する１組の側面にそれぞれ切り込み部をバッグ本体の上端開口部から底部に向けて形成し、これら各切り込み部の背後に、各切り込み部によってバッグ本体の少なくとも相対向する１組の側面に形成される開口を閉塞する襠部材を設けるとともに、各切り込み部の解放端縁に該各切り込み部を開閉するファスナーを設け、上記襠部材の上端縁には、弾性のある素材が設けられることにより伸縮性が付与され、バッグ本体の上端開口部には、この開口部から連続してカバー部を設け、カバー部を、買物かご装着時に買物かごの周壁上端縁から外側に折り返すとともに、その先端縁に紐通し部を配設し、この紐通し部に装着された開閉用紐を絞ることによってバッグ本体の上端開口部を覆うので、ファスナーを開いて該買物用バッグを買物かごの内面に沿わせて装着することができるとともに、カバー部を買物かごの周壁上端縁から外側に折り返すことができ、カバー部によってバッグ本体の上端開口部を覆うことができる。また、襠部材によって切り込み部を閉塞することができる。したがって、買物用バッグに入れた商品が切り込み部からこぼれ落ちることがない。また、襠部材の上端縁には、弾性のある素材が設けられることにより伸縮性が付与されているので、この襠部材の上端縁を伸ばして、バッグ本体を買物かごに装着することができ、装着するのが容易になる。また、装着した後は、この襠部材の上端縁が縮むことにより、バッグ本体は買物かごにフィットしてずれることがない。
【００４９】
上記の構成において、バッグ本体にベルトと、このベルトの先端が係止される係止部とを設けた場合は、ベルトの先端とバッグ本体の係止部とを係止してバッグ本体を所望位置で止め、買物用バッグの開口部が不測に開くことを防止することができる。
【００５０】
上記の構成において、提げ手を設けた場合は、この提げ手を持って買物用バッグを持ち運ぶことができる。したがって、使い勝手が良い。
【図面の簡単な説明】
【図１】本発明の実施の形態において買物かごに装着した買物用バッグを示す斜視図である。
【図２】本発明の実施の形態における買物用バッグを示す斜視図である。
【図３】本発明の実施の形態における買物用バッグを示す斜視図である。
【符号の説明】
１ 買物用バッグ
１１ 提げ手
２ バッグ本体
３ 係止部
４ ベルト
５ カバー部
５０ 紐通し部
５１ 開閉用紐
６ 切り込み部
７ 襠部材
８ ファスナー
【図１】
0003547705.tif 000002
【図２】
0003547705.tif 000003
【図３】
0003547705.tif 000004